(57)【要約】【課題】  従来、電気回路設計者がＣＡＤを用いて接続図の図面を作成した後、その接続図の全接続箇所について品質チェックするために、接続図の品質チェック作業の効率が悪く、また部品が保持するピン数に比例して膨大なチェック作業時間を要するので、設計者の大きな負担作業となっていた。【解決手段】  接続図の接続データを接続図品質データとして抽出し、接続図品質データを基に図面品質データベースの内にある接続図品質データに紐付けられた品質データを探索し、探索した品質データを基に接続図の品質評価を数値表示することで、接続図の品質チェックに要する設計者の負担を減らす。【選択図】      図１
2009237770.tif 000002
【特許請求の範囲】
【請求項１】
任意の接続図データから選択された部品の中から、少なくとも２つの部品間の接続データを接続図品質データとして抽出する接続図品質データ抽出部と、
上記接続図品質データ抽出部で抽出された接続図品質データを検索キーとして、予め図面品質データベースに格納された品質評価データを探索し、当該接続図品質データに対応した品質評価データを抽出する品質データ検索部と、
上記品質データ検索部により抽出された品質評価データを、上記接続図品質データに対応付けてディスプレイに表示する表示部と、
を備えた接続図品質表示装置。
【発明の詳細な説明】
【技術分野】
【０００１】
この発明は、電気回路設計ＣＡＤソフトウェア(以下、ＣＡＤ)により作成された接続図の接続データの品質を表示する接続図品質表示装置に関する。
【背景技術】
【０００２】
近年、ＣＡＤを用いて、電子部品の電気的接続関係を示す接続図の接続データを作成し、作成した接続データをデータベースに格納して利用する、図面の電子化技術が普及している。また、キーワードを用いてデータベースに格納された図面データを検索し、検索した図面データをディスプレイに表示することが一般的に行われている。
【０００３】
例えば、図面の合理性検査エラー情報又は回路要素一覧情報から自動で該当図面を検索し、該当する回路要素及び属性を画面上で確認することができるＣＡＤシステムが知られている（例えば、特許文献１参照）。
【０００４】
【特許文献１】特開２００３−１３２１１４
【発明の開示】
【発明が解決しようとする課題】
【０００５】
従来、電気回路設計者（以下、設計者）がＣＡＤを用いて接続図の図面を作成後、その品質をチェックして紙に出力するか、ＣＡＤを利用して接続図をディスプレイに表示した後、部品が設計者の意図どおり正しく接続されているかどうかについて、１部品毎に接続箇所をチェックしていた。
【０００６】
例えば、使用している部品のピンが別部品のどのピンと接続されており、上記の接続が設計者の設計意図どおり正しく接続されているかどうかを確認するといった品質チェック作業が行われる。
【０００７】
しかし、上記に述べた品質チェック作業は、部品の１ピン毎に実施するため、膨大なピンを持つ集積回路部品については、部品が保持するピン数に比例して、膨大なチェック作業時間を要し、接続図の品質チェック作業の効率が悪いという問題があった。
【０００８】
また、単にピンとピンが接続されていれば良いわけではなく、部品固有の仕様や入力／出力信号にあわせた接続先に接続されているか否かをチェックする必要があり、部品固有の仕様を調査して正しい電源等に接続されているか否かをチェックする。また、部品のピンとピンを結ぶ接続線に信号名をつけて、設計者の意図する入力／出力信号にあわせた接続先に接続しているか否かというチェック作業も重なり、多大な労力と時間を必要とすることから、設計者の大きな負担作業となっていた。
【０００９】
この発明は、係る課題を解決するために為されたものであり、電子部品間の接続関係に基づいて、図面品質データベースから接続データに対応した品質データを取り出し、取り出した品質データを基に接続図の品質状態を表示することを目的とする。
【課題を解決するための手段】
【００１０】
この発明による接続図品質表示装置は、任意の接続図データから選択された部品の中から、少なくとも２つの部品間の接続データを接続図品質データとして抽出する接続図品質データ抽出部と、上記接続図品質データ抽出部で抽出された接続図品質データを検索キーとして、予め図面品質データベースに格納された品質評価データを探索し、当該接続図品質データに対応した品質評価データを抽出する品質データ検索部と、上記品質データ検索部により抽出された品質評価データを、上記接続図品質データに対応付けてディスプレイに表示する表示部とを備えたものである。
【発明の効果】
【００１１】
この発明によれば、部品間の接続データを用いて、過去に設計した接続図の接続データに基づく品質の評価データを検索し、表示することにより、新たに設計する接続図の品質評価を効率的に実施することが可能となる。
【発明を実施するための最良の形態】
【００１２】
この発明に係る実施の形態では、電気回路設計ＣＡＤソフトウェア（以下、ＣＡＤ）で設計された接続図に含まれる２つの部品間の接続データを、接続図品質データとして抽出し、図面品質データベースに格納する。これによって、設計者がＣＡＤにより作成した接続図の接続データから接続図品質データを抽出した後、図面品質データベースから接続図品質データに対応した品質評価データを検索し、表示することのできる、接続図品質表示装置を提供するものである。以下、図を用いてこの発明に係る実施の形態１について説明する。
【００１３】
実施の形態１．
図１は、実施の形態１に係る接続図品質表示装置の構成を示す機能ブロック図であり、図１（ａ）は機能ブロック図、（ｂ）は図面品質データベースに格納される図面情報の例を示す図である。
図において、接続図品質表示装置は、計算機３と、入力装置１と、主記憶装置２と、ディスプレイ４と、ＣＡＤ装置５と、図面品質データベース（以下、図面品質ＤＢ）６を備えて構成される。
【００１４】
ＣＡＤ装置５は、一般に市販されているＣＡＤのソフトウェアが格納され、そのソフトウェアを読み出して、図面データの入力および作図処理や、図面データの生成処理や、図面データの接続、切断、陰線処理などを実行する装置である。
【００１５】
入力装置１は、キーボード、マウスなどから構成される。主記憶装置２は、計算機３が処理するＣＡＤ装置５により作成した接続データ８や、品質評価データ（以下、品質データ）２３などを記憶している。計算機３には、接続図の品質評価処理を行うための品質評価処理プログラム２０が実行可能な状態で格納されている。この品質評価プログラム２０が実行されることにより、計算機３は、接続図品質データ抽出部１０と、品質データ検索部１１を構成する。ディスプレイ４は、入力装置１を使って作成した接続図の接続データ８を表示するための表示部を構成する。
【００１６】
図面品質ＤＢ６は、ＣＡＤで過去に作成した接続図の使用部品データと接続図データ１２と品質評価データ（以下、品質データ）１３を所持するデータとしての図面情報７が格納されたデータベースである。図１（ｂ）に例示するように、図面情報７は２つの使用部品と、その使用部品に対応した接続図データ１２と、その接続図データ１２の品質評価を示す品質データ１３から構成されている。
この品質データ１３は、過去の設計時に作成した接続図データについて、設計者が予め評価した評価内容を入力しておく。また、同じ２つの部品を使用した接続図データの利用数に基づいて、自動的に品質データを設定しても良い。例えば、部品Ａと部品Ｂを接続する同種の接続データが、過去に１０回に亘り作成された場合、品質データとしてその回数の１０を入力すると良い。或いは別の評価値として、部品Ａと部品Ｂを接続する同種の接続データとして、１０個の接続データが作成されていた場合、品質データとしてその個数の１０を入力しても良い。
【００１７】
図面品質ＤＢ６は、接続図において電子部品間の接続データ８を品質評価する品質データ１３を、接続図データ１２に対応付けて格納している。計算機３の接続図品質データ抽出部は、接続図データ８から順次２つの部品を選択し、選択した部品間の接続データを品質評価用接続図データとして抽出し、この抽出を全ての２つの部品間の組合せについて行う。また、品質データ検索部は、この接続図品質データ抽出部で抽出された品質評価用接続図データを検索キーとして、図面品質ＤＢ６の図面品質データベースに格納された接続データ１２を探索し、検索キーである品質評価用接続図データに一致した接続データ１２に対応付けられた品質データ１３を抽出する。
【００１８】
設計者は、接続図品質表示装置を構成するＣＡＤ装置５を使用して、接続図の接続データ８を作成する。また、作成した接続図の接続データ８について、接続図品質表示装置を用いて接続図の品質データを表示することで、品質状態を確認することができる。
【００１９】
次に、この実施の形態１による接続図品質表示装置の動作について説明する。
図２は接続図品質表示装置の動作フローを示す図である。図３は接続図品質表示装置の動作例を示す図であり、（ａ）は接続図の作図例、（ｂ）は（ａ）の接続図から抽出した接続データ１２と図面品質ＤＢ６に格納された品質データ１３との関係を示す図である。
【００２０】
図において、設計者は、入力装置１とＣＡＤ装置５を使って、図３（ａ）に示す接続図の接続データ８を作成する。このとき、図面品質ＤＢ６に存在する品質データ１３を基に図面の品質評価を行うための作業を行う。以下、この場合を例にして説明する。
【００２１】
まず、設計者は、入力装置１を用いて、計算機３にＣＡＤ装置５で作成した接続データ８の主記憶装置への取り込みを指示する（ステップｓ１）。
【００２２】
次に、設計者は、計算機３に接続データ８の品質評価処理の実行開始を指示する。計算機３は、この指示を受けて、作成中の接続データ８から使用しているすべての部品について、接続データを抽出する。例えば電子部品９と電子部品１１の接続情報から、接続データ１２を抽出する（ステップｓ２）
【００２３】
続いて、計算機３は、作成中の接続図の接続データ８を構成する接続データ１２を検索キーとして用いて、図面品質ＤＢ６に対して検索処理を行う（ステップｓ３）。
この処理では、作成した接続データ１２を検索キーとして、図面品質ＤＢ６に格納されている品質データ１３が存在するか否かを検索する。
【００２４】
この検索の結果、ステップｓ４において、図面品質ＤＢ６に同じ接続データ１２を持つ品質データ１３がない場合は、品質データを０として主記憶に読み込む（ステップｓ５）。
【００２５】
一方、この検索の結果、ステップｓ４において、図面ＤＢ６内に、接続データ１２と同じ接続データを持つ品質データ１３が存在する場合、その品質データ１３を図面品質ＤＢ６から主記憶装置に順次読み込み、読み込んだ品質データを品質データ２３として格納する（ステップｓ６）。
この際、接続データ１２の品質データがわかることにより、現在作成している図面の品質評価が可能となる。
【００２６】
このようにして、主記憶装置に読み込んだ接続品質データ１２に対する品質データ２３が、例えば入力装置１のボタン操作によって、順次ディスプレイ４に表示される（ステップｓ７）。
設計者は、ディスプレイ４に表示される品質データ２３を確認することにより、接続図の品質を容易に把握することができる。
【００２７】
以上説明したように、この実施の形態１による接続図品質表示装置では、任意の接続図データから選択された部品の中から、少なくとも２つの部品間の接続データを接続図品質データとして抽出する接続図品質データ抽出部１０と、接続図品質データ抽出部１０で抽出された接続図品質データを検索キーとして、予め図面品質データベースに格納された品質評価データを探索し、当該接続図品質データに対応した品質評価データを抽出する品質データ検索部１１と、品質データ検索部１１により抽出された品質評価データを、上記接続図品質データに対応付けてディスプレイに表示する表示部とを備えたことを特徴とする。
【００２８】
このように、部品の接続データを用いて、過去に設計した接続図の接続データによる品質データを図面品質ＤＢから検索することにより、接続図の品質評価を効率的に実施することができる。
【００２９】
例えば、設計者が、接続図品質表示装置が表示する品質データを見ることで、その品質データが所定の閾値よりも低い値を示す接続図についてのみ、人手による入念なチェックを行うことができる。これにより、全ての部品の接続部位について人手で品質チェックすることが不要となり、接続図の品質チェック時間を短くすることが可能となり、設計者の作業負担を減らすことができる。
【図面の簡単な説明】
【００３０】
【図１】この発明の実施の形態１による接続図検索装置の、（ａ）機能ブロック図、（ｂ）図面ＤＢの図面情報を示す図である。
【図２】この発明の実施の形態１による接続図品質表示装置の動作を示すフローチャートである。
【図３】この発明の実施の形態１による接続図品質表示装置の動作例を示す図であり、（ａ）は接続図の作図例、（ｂ）は（ａ）の接続図から抽出した接続データと図面品質ＤＢに格納された品質データとの関係を示す図である。
【符号の説明】
【００３１】
１  入力装置、２  主記憶装置、３  計算機、４  ディスプレイ、５  ＣＡＤ装置、６  図面ＤＢ、７  図面情報、８  接続データ、１０  接続図品質データ抽出部、１１  品質データ検索部、１２  接続データ、１３  品質データ、２３  品質データ。
【図１】
2009237770.tif 000003
【図２】
2009237770.tif 000004
【図３】
2009237770.tif 000005